(57)【要約】【課題】撮影した画像ファイルに対する誤消去の防止と画像ファイルに対する消去プロテクト操作の利便性を向上させる撮像装置を提供する。【解決手段】  複数の記録媒体が装着可能なカメラにおいて、撮影した画像データを第１の記録媒体に記録する第１の記録手段と、撮影した画像をバックアップ用として、第２の記録媒体に記録する第２の記録手段とを設ける。第２の記録手段で記録する画像ファイルには自動的に消去プロテクトを設定する。また、第１の記録手段及び第２の記録手段で記録する画像ファイルに対して、消去プロテクトを設定するか否かを指定するための指定手段があり、第１の記録手段及び第２の記録手段で記録する時、前記指定手段の指定結果に応じて、消去プロテクトが掛けられる。【選択図】図３
2007215020.tif 000002
【特許請求の範囲】
【請求項１】
撮影光像を電気信号に変換する撮像素子と、前記撮像素子から得られる画像データを第１の記録媒体に記録する第１の記録手段と、前記第１の記録媒体に記録された画像データと同一の画像データを、バックアップ用として第２の記録媒体に記録する第２の記録手段とを有する撮像装置において、
前記第２の記録手段によって画像データを前記第２の記録媒体に記録する時に、該画像データの消去を防止するための消去プロテクトを自動的に設定する消去プロテクト設定手段を有することを特徴とする撮像装置。
【請求項２】
撮影光像を電気信号に変換する撮像素子と、前記撮像素子から得られる画像データを第１の記録媒体に記録する第１の記録手段と、前記第１の記録媒体に記録された画像データと同一の画像データを、バックアップ用として第２の記録媒体に記録する第２の記録手段とを有する撮像装置において、
前記第１及び第２の記録媒体に記録する画像データに対して、該画像データの消去を防止するための消去プロテクトを設定するか否かを指定する指定手段と、
前記第１及び第２の記録手段によって前記第１及び第２の記録媒体に画像データを記録する時に、前記指定手段の指定結果に応じて、該画像データに対して前記消去プロテクトを設定する制御手段とを有することを特徴とする撮像装置。
【請求項３】
撮影光像を電気信号に変換する撮像素子と、前記撮像素子から得られる画像データを第１の記録媒体に記録する第１の記録手段と、前記第１の記録媒体に記録された画像データと同一の画像データを、バックアップ用として第２の記録媒体に記録する第２の記録手段とを有する撮像装置の制御方法にであって、
前記第２の記録手段によって画像データを前記第２の記録媒体に記録する時に、該画像データの消去を防止するための消去プロテクトを自動的に設定することを特徴とする撮像装置の制御方法。
【請求項４】
撮影光像を電気信号に変換する撮像素子と、前記撮像素子から得られる画像データを第１の記録媒体に記録する第１の記録手段と、前記第１の記録媒体に記録された画像データと同一の画像データを、バックアップ用として第２の記録媒体に記録する第２の記録手段とを有する撮像装置の制御方法であって、
前記第１及び第２の記録媒体に記録する画像データに対して、該画像データの消去を防止するための消去プロテクトを設定するか否かを指定する指定工程と、
前記第１及び第２の記録手段によって前記第１及び第２の記録媒体に画像データを記録する時に、前記指定工程の指定結果に応じて、該画像データに対して前記消去プロテクトを設定する制御工程とを有することを特徴とする撮像装置の制御方法。
【請求項５】
撮影光像を電気信号に変換する撮像素子と、前記撮像素子から得られる画像データを第１の記録媒体に記録する第１の記録手段と、前記第１の記録媒体に記録された画像データと同一の画像データを、バックアップ用として第２の記録媒体に記録する第２の記録手段とを有する撮像装置の制御方法を実行するための、コンピュータで読み取り可能な制御プログラムであって、
前記第２の記録手段によって画像データを前記第２の記録媒体に記録する時に、該画像データの消去を防止するための消去プロテクトを自動的に設定する制御ステップを有することを特徴とする制御プログラム。
【請求項６】
撮影光像を電気信号に変換する撮像素子と、前記撮像素子から得られる画像データを第１の記録媒体に記録する第１の記録手段と、前記第１の記録媒体に記録された画像データと同一の画像データを、バックアップ用として第２の記録媒体に記録する第２の記録手段とを有する撮像装置の制御方法を実行するための、コンピュータで読み取り可能な制御プログラムであって、
前記第１及び第２の記録媒体に記録する画像データに対して、該画像データの消去を防止するための消去プロテクトを設定するか否かを指定する指定ステップと、
前記第１及び第２の記録手段によって前記第１及び第２の記録媒体に画像データを記録する時に、前記指定ステップの指定結果に応じて、該画像データに対して前記消去プロテクトを設定する制御ステップとを有することを特徴とする制御プログラム。
【発明の詳細な説明】
【技術分野】
【０００１】
本発明は、電子カメラ等の撮像装置及びその制御方法、並びに前記制御方法を実行するための制御プログラムに関する。
【背景技術】
【０００２】
従来より、レンズで捉えた光学的な静止画像を撮像素子により電気信号に変換し、これをコンパクトフラッシュ(登録商標)カード（ＣＦカード）などの記録媒体に記録するようにした電子カメラが実用化されている。
【０００３】
この種の電子カメラでは、以下のような様々なタイプが実用化されている。
【０００４】
（１）記録媒体に記録されている画像データの中から１つの画像を指定し、ＴＦＴ−ＬＣＤなどを用いて再生表示させ、撮影した画像を確認することが可能に構成されたもの
（２）指定した画像データの再生表示中に所定の操作を行うことで、指定した画像ファイルを消去可能に構成したもの
（３）複数の記録媒体が装着可能であって、どの記録媒体に記録するかを指定できるようにしたカード選択機能を有するもの
（４）記録媒体に記録された画像データを所定のタイミングで別の記録媒体にコピーできるようにしたバックアップ機能を有するもの（例えば特許文献１参照）
また、指定した画像ファイルに対して消去防止のための消去プロテクトを設定することができるようにした電子カメラも知られている（例えば特許文献２参照）。このタイプの電子カメラでは、撮影済みの画像ファイルに対して消去プロテクトを設定することにより、その画像ファイルの誤消去を防ぐことができる。
【特許文献１】特開２００２−１９０９７３号公報
【特許文献２】特開２００２−１３５６２７号公報
【発明の開示】
【発明が解決しようとする課題】
【０００５】
しかしながら、従来の電子カメラの消去プロテクトの設定操作は、撮影済みの画像ファイルに対してのみ有効であった。このため、撮影された画像ファイルは、消去プロテクトが設定されるまでの間、誤操作により消去される危険性があった。また、消去プロテクトを設定する操作は、特にカメラ操作に不慣れな初心者にとっては面倒な操作であった。
【０００６】
本発明は上記従来の問題点に鑑み、簡単且つ確実に、誤消去防止のための消去プロテクトを設定することができる撮像装置及びその制御方法、並びに制御プログラムを提供することを目的とする。
【課題を解決するための手段】
【０００７】
本発明は上記目的を達成するため、撮影光像を電気信号に変換する撮像素子と、前記撮像素子から得られる画像データを第１の記録媒体に記録する第１の記録手段と、前記第１の記録媒体に記録された画像データと同一の画像データを、バックアップ用として第２の記録媒体に記録する第２の記録手段とを有する撮像装置において、前記第２の記録手段によって画像データを前記第２の記録媒体に記録する時に、該画像データの消去を防止するための消去プロテクトを自動的に設定する消去プロテクト設定手段を有することを特徴とする。
【０００８】
また、本発明は、撮影光像を電気信号に変換する撮像素子と、前記撮像素子から得られる画像データを第１の記録媒体に記録する第１の記録手段と、前記第１の記録媒体に記録された画像データと同一の画像データを、バックアップ用として第２の記録媒体に記録する第２の記録手段とを有する撮像装置において、前記第１及び第２の記録媒体に記録する画像データに対して、該画像データの消去を防止するための消去プロテクトを設定するか否かを指定する指定手段と、前記第１及び第２の記録手段によって前記第１及び第２の記録媒体に画像データを記録する時に、前記指定手段の指定結果に応じて、該画像データに対して前記消去プロテクトを設定する制御手段とを有することを特徴とする。
【０００９】
また、本発明は、撮影光像を電気信号に変換する撮像素子と、前記撮像素子から得られる画像データを第１の記録媒体に記録する第１の記録手段と、前記第１の記録媒体に記録された画像データと同一の画像データを、バックアップ用として第２の記録媒体に記録する第２の記録手段とを有する撮像装置の制御方法にであって、前記第２の記録手段によって画像データを前記第２の記録媒体に記録する時に、該画像データの消去を防止するための消去プロテクトを自動的に設定することを特徴とする。
【００１０】
また、本発明は、撮影光像を電気信号に変換する撮像素子と、前記撮像素子から得られる画像データを第１の記録媒体に記録する第１の記録手段と、前記第１の記録媒体に記録された画像データと同一の画像データを、バックアップ用として第２の記録媒体に記録する第２の記録手段とを有する撮像装置の制御方法であって、前記第１及び第２の記録媒体に記録する画像データに対して、該画像データの消去を防止するための消去プロテクトを設定するか否かを指定する指定工程と、前記第１及び第２の記録手段によって前記第１及び第２の記録媒体に画像データを記録する時に、前記指定工程の指定結果に応じて、該画像データに対して前記消去プロテクトを設定する制御工程とを有することを特徴とする。
【００１１】
また、本発明は、撮影光像を電気信号に変換する撮像素子と、前記撮像素子から得られる画像データを第１の記録媒体に記録する第１の記録手段と、前記第１の記録媒体に記録された画像データと同一の画像データを、バックアップ用として第２の記録媒体に記録する第２の記録手段とを有する撮像装置の制御方法を実行するための、コンピュータで読み取り可能な制御プログラムであって、前記第２の記録手段によって画像データを前記第２の記録媒体に記録する時に、該画像データの消去を防止するための消去プロテクトを自動的に設定する制御ステップを有することを特徴とする。
【００１２】
また、本発明は、撮影光像を電気信号に変換する撮像素子と、前記撮像素子から得られる画像データを第１の記録媒体に記録する第１の記録手段と、前記第１の記録媒体に記録された画像データと同一の画像データを、バックアップ用として第２の記録媒体に記録する第２の記録手段とを有する撮像装置の制御方法を実行するための、コンピュータで読み取り可能な制御プログラムであって、前記第１及び第２の記録媒体に記録する画像データに対して、該画像データの消去を防止するための消去プロテクトを設定するか否かを指定する指定ステップと、前記第１及び第２の記録手段によって前記第１及び第２の記録媒体に画像データを記録する時に、前記指定ステップの指定結果に応じて、該画像データに対して前記消去プロテクトを設定する制御ステップとを有することを特徴とする。
【発明の効果】
【００１３】
本発明によれば、バックアップ用として記録される画像データに対して、自動的に消去プロテクトが設定されるので、簡単且つ確実に、画像データの誤消去の危険性を低減することができる。
【００１４】
消去プロテクトを設定するか否かを指定することができるので、ユーザ等の必要に応じて消去プロテクトを設定することが可能になる。これにより、消去プロテクト操作の利便性を向上させることができる。
【発明を実施するための最良の形態】
【００１５】
以下、本発明の実施の形態について、図面を参照しながら説明する。
【００１６】
［第１の実施の形態］
＜画像処理装置の構成＞
図１は、本発明の第１の実施の形態に係る画像処理装置の構成を示すブロック図である。
【００１７】
この画像処理装置１００は、電子カメラとして構成され、撮影レンズ１０、絞り機能を備えるシャッター１２、撮像素子１４、Ａ／Ｄ変換器１６、タイミング発生回路１８、及び画像処理回路２０を有している。
【００１８】
撮像素子１４は光学像を電気信号に変換するデバイスであり、Ａ／Ｄ変換器１６は撮像素子１４のアナログ信号出力をデジタル信号に変換する回路である。タイミング発生回路１８は、撮像素子１４、Ａ／Ｄ変換器１６、及びＤ／Ａ変換器２６にクロック信号や制御信号を供給する回路であり、メモリ制御回路２２及びシステム制御回路５０によって制御される。
【００１９】
画像処理回路２０は、Ａ／Ｄ変換器１６からのデータ或いはメモリ制御回路２２からのデータに対して所定の画素補間処理や色変換処理を行う。また、画像処理回路２０では、撮像に係る画像データを用いて所定の演算処理を行って、その演算結果をシステム制御回路５０に供給する。システム制御回路５０は、その演算結果に基づいて、露光制御部４０及び測距制御部４２を制御して、ＴＴＬ（スルー・ザ・レンズ）方式のＡＦ（オートフォーカス）処理、ＡＥ（自動露出）処理、及びＥＦ（フラッシュプリ発光）処理等を実現する。
【００２０】
メモリ制御回路２２は、Ａ／Ｄ変換器１６、タイミング発生回路１８、画像処理回路２０、画像表示メモリ２４、Ｄ／Ａ変換器２６、メモリ３０、及び圧縮・伸長回路３２を制御する。Ａ／Ｄ変換器１６から出力されるデータは、画像処理回路２０を介してメモリ制御回路２２に供給されるか、或いは直接メモリ制御回路２２に供給されて、画像表示メモリ２４或いはメモリ３０に書き込まれる。
【００２１】
画像表示メモリ２４に書き込まれた表示用の画像データは、Ｄ／Ａ変換器２６を介して、ＴＦＴ−ＬＣＤ等から成る画像表示部２８に供給されて画像が表示される。画像表示部２８に撮像に係る画像を逐次表示することにより、電子ファインダ機能を実現することができる。また、画像表示部２８を用いて、再生表示機能や各種表示機能を利用することができる。
【００２２】
メモリ３０は、撮影した静止画像や動画像を格納するためのメモリであり、所定枚数の静止画像や所定時間の動画像を格納するのに十分な記憶量を備えている。このメモリ３０を利用することにより、複数枚の静止画像を連続して撮影する連写撮影やパノラマ撮影の場合においても、高速に大量の画像を保存することができる。また、メモリ３０は、画像処理装置１００全体を制御するシステム制御回路５０の作業領域としても利用され得る。
【００２３】
圧縮・伸長回路３２は、適応離散コサイン変換（ＡＤＣＴ）等により画像データを圧縮又は伸長する回路であり、メモリ３０に格納された画像を読み込んで圧縮処理或いは伸長処理を行い、処理を終えたデータをメモリ３０に書き込む。
【００２４】
露光制御部４０は、絞り機能を備えるシャッター１２を制御する回路であり、フラッシュ４８と連携してフラッシュ調光を行うこともできる。測距制御部４２は、撮影レンズ１０のフォーカシングを制御する。露光制御部４０及び測距制御部４２は、撮像に係る画像データを画像処理回路２０が演算した演算結果に基づいて、システム制御回路５０によって制御する。これにより、ＴＴＬ方式の露光制御及び測距制御が実現される。
【００２５】
さらに、画像処理装置１００は、ズーム制御部４４、バリア制御部４６、メモリ５２、表示部５４、及び不揮発性メモリ５６を備えている。
【００２６】
ズーム制御部４４は撮影レンズ１０のズーミングを制御し、バリア制御部４６はバリア（保護部）１０２の動作を制御する。メモリ５２はシステム制御回路５０の動作用の定数、変数、プログラム等を記憶する。
【００２７】
表示部５４は、システム制御回路５０によるプログラムの実行に応じ、文字、画像、音声等を用いて動作状態やメッセージ等を表示する液晶表示装置及びスピーカー等を含む。そして、画像処理装置１００の操作部近辺の視認し易い位置に単数或いは複数個所設置され、例えばＬＣＤやＬＥＤ、発音素子等の組み合わせにより構成されている。また、表示部５４は、その一部が光学ファインダ１０４内に設置されている。不揮発性メモリ５６は、電気的に消去・記録可能な例えばＥＥＰＲＯＭ等で構成される。
【００２８】
また、画像処理装置１００は、システム制御回路５０の各種の動作指示を入力するための操作手段として、モードダイヤル６０、シャッタースイッチＳＷ１、ＳＷ２を備えている。また、再生釦６８、メニュー釦７０、移動プラス（＋）釦７２、移動マイナス（−）釦７４、セット釦７６、及び消去釦７８も備えている。
【００２９】
モードダイヤル６０は、撮影モードを設定するためのダイヤルである。シャッタースイッチＳＷ１は、不図示のシャッター釦の操作途中でオンとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００３０】
また、シャッタースイッチＳＷ２は、前記シャッター釦の操作完了でオンとなり、露光処理、現像処理、及び記録処理という一連の処理の動作開始をシステム制御回路５０に指示する。露光処理は、撮像素子１４から読み出した信号をＡ／Ｄ変換器１６、メモリ制御回路２２を介してメモリ３０に画像データを書き込む処理であり、現像処理は、画像処理回路２０やメモリ制御回路２２での演算を用いて行う。
【００３１】
記録処理は、メモリ３０から画像データを読み出し、圧縮・伸長回路３２で圧縮を行い、記録媒体２００、２０２に画像データを書き込む処理である。システム制御回路５０は、記録媒体２００、２０２に記録した画像テータの消去保護機能を備えている。即ち、システム制御回路５０は、記録媒体２００、２０２に記録した画像データに対して誤消去防止のための消去プロテクトが設定されているか否かを判定する。そして、消去プロテクトが設定されている場合には、この画像データは「読み取り専用」であるとして記録処理を禁止する機能を有する。
【００３２】
再生釦６８は、押下により画像再生状態になり、過去に撮影した画像ファイルを再生して確認するための釦であり、メニュー釦７０は、押下によりメニュー画面が表示され、各種メニュー項目の設定・変更・確認等を行うための釦である。移動プラス（＋）釦７２及び移動マイナス（−）釦７４は、メニュー画面での項目の選択や項目の設定内容の変更を行うための釦である。また、移動プラス（＋）釦７２及び移動マイナス（−）釦７４により、再生モードにおける再生画像の変更操作を行うことができる。セット釦７６は、メニュー画面での項目の確定操作や項目の設定内容の確定操作を行うための釦である。消去釦７８は、指定した画像ファイルを消去するための釦である。
【００３３】
図中の８０は電源制御部である。電源制御部８０は、電池検出回路、電池の装着の有無や電池の種類、及び電池残量の検出を行い、その検出結果及びシステム制御回路５０の指示に基づいて、必要な電圧を必要な期間に亘って、記録媒体２００，２０２を含む各部へ供給する。記録媒体２００、２０２は着脱可能なＣＦカード等から成り、それぞれコネクタ９２、９６を介してインタフェース９０、９４に接続されている。インタフェース９０、９４は、バス５１に接続されている。バス５１には、システム制御部５０、メモリ制御部２２、及びメモリ３０等が接続されている。そして、システム制御部５０には、コネクタ９２、９６に記録媒体装置２００、２０２が装着されているか否かを検知する記録媒体着脱検知部９８が接続されている。
【００３４】
また、図中の１０４は光学ファインダである。この光学ファインダ１０４を利用することにより、画像表示部２８によって構成される電子ファインダ機能を利用することなく、撮影を行うことができる。４００はフラッシュ装置である。
【００３５】
＜第１の実施の形態に係る主ルーチンの動作＞
図２及び図３は、第１の実施の形態に係る画像処理装置１００の主ルーチンの動作を示すフローチャートである。
【００３６】
電池交換に伴う電源投入等に従って、システム制御回路５０は、Ｓ１０１において、フラグや制御変数等を初期化する。次のＳ１０２において、システム制御回路５０は、メニュー画面で指定される設定内容の初期化を行う。なお、メニュー画面で設定可能な項目には、カード選択機能やバックアップ機能などがある。カード選択機能は、装着されている複数の記録媒体のうち、どの記録媒体に記録するかを指定することができる機能であり、バックアップ機能は、１つの記録媒体に記録された画像データを別の記録媒体にコピーすることができる機能である。このＳ１０２において、カード選択機能により記録媒体２００（カードＡ）を指定し、バックアップ機能をオンにする。
【００３７】
続いてＳ１０３において、システム制御回路５０は、モードダイヤル６０の設定位置を判断する。モードダイヤル６０が「ＯＦＦ」に設定されている場合はＳ１０４に進み、モードダイヤル６０が「ＯＦＦ」以外に設定されている場合はＳ１０５へ進む。
【００３８】
Ｓ１０４において、システム制御回路５０は、表示部５４の表示を終了状態に変更し、バリア１０２を閉じて撮像部を保護し、フラグや制御変数等を含む必要なパラメータや設定値、及び設定モードを不揮発性メモリ５６に記録する。さらに、電源制御部８０により画像表示部２８を含む画像処理装置１００各部の不要な電源を遮断する等の所定の終了処理を行い、Ｓ１０３に戻る。
【００３９】
Ｓ１０５では、システム制御回路５０は、メニュー釦７０の状態を確認する。そして、メニュー釦７０が押されている場合はＳ１０６に進み、メニュー釦７０が押されていない場合はＳ１０７へ進む。
【００４０】
Ｓ１０６では、システム制御回路５０は、メニュー処理を行う。メニュー処理において、カード選択機能の設定及びバックアップ機能、等に関わる変更操作が行われる。メニュー処理が終了するとＳ１０３に戻る。
【００４１】
Ｓ１０７において、システム制御回路５０は、表示部５４を用いて画像や音声により画像処理装置１００の各種設定状態を出力する。また、画像表示部２８も利用して画像処理装置１００の各種設定状態の表示を行っても良い。そして、Ｓ１０８へ進む。
【００４２】
Ｓ１０８では、システム制御回路５０は、撮像中の画像を逐次表示するスルー表示状態に設定して、Ｓ１０９へ進む。画像データは、撮像素子１４から読み出してＡ／Ｄ変換器１６、画像処理回路２０、及びメモリ制御回路２２を介して、画像表示メモリ２４に逐次書き込まれる。ここで、スルー表示状態においては、画像表示メモリ２４に書き込まれた画像データを、メモリ制御回路２２、Ｄ／Ａ変換器２６を介して画像表示部２８に逐次供給し、表示画像を連続的に更新することにより、電子ファインダ機能が実現される。
【００４３】
次のＳ１０９では、システム制御回路５０は、シャッタースイッチＳＷ１の状態を確認し、シャッタースイッチＳＷ１がオフである場合はＳ１０３に戻る。一方、シャッタースイッチＳＷ１がオンである場合はＳ１１０へ進む。Ｓ１１０では、システム制御回路５０は、画像表示部２８の表示状態をフリーズ表示状態に設定して、Ｓ１１１へ進む。ここで、フリーズ表示状態においては、撮像素子１４から画像データを読み出して、これをＡ／Ｄ変換器１６、画像処理回路２０及びメモリ制御回路２２を介して画像表示メモリ２４に書き込む動作、即ち画像データの更新を中止する。そして、画像表示メモリ２４に最後に書き込まれた画像データを、メモリ制御回路２２及びＤ／Ａ変換器２６を介して画像表示部２８により供給し続けることにより、フリーズした画像を電子ファインダとしての画像表示部２８に表示する。
【００４４】
Ｓ１１１において、システム制御回路５０は、測距処理を行って、撮影レンズ１０の焦点を被写体までの距離に応じて調整すると共に、測光処理を行って、絞り値及びシャッター時間を決定する。
【００４５】
次のＳ１１２では、システム制御回路５０は、画像表示部２８の表示状態をスルー表示状態に設定して、Ｓ１１３へ進む。Ｓ１１３では、システム制御回路５０は、シャッタースイッチＳＷ１の状態を確認し、シャッタースイッチＳＷ１がオフ状態であれば、Ｓ１０３に戻る。シャッタースイッチＳＷ１がオン状態であれば、次のＳ１１４で、更にシャッタースイッチＳＷ２の状態を確認し、シャッタースイッチＳＷ２がオフ状態であればＳ１１３に戻り、シャッタースイッチＳＷ２がオン状態であればＳ１１５へ進む。
【００４６】
Ｓ１１５では、システム制御回路５０は、画像表示部２８の表示状態を固定色表示状態に設定して、Ｓ１５０へ進む。ここで、固定色表示状態においては、撮像素子１４からＡ／Ｄ変換器１６、画像処理回路２０、及びメモリ制御回路２２を介して画像表示メモリ２４に書き込まれた画像データに固定色の画像データで上書きする。そして、この上書きされた画像データを、メモリ制御回路２２及びＤ／Ａ変換器２６を介して画像表示部２８に供給することにより、固定色の画像を電子ファインダとしての画像表示部２８に表示する。
【００４７】
図３のＳ１５０では、システム制御回路５０は、撮像素子１４から出力された画像データを、Ａ／Ｄ変換器１６、画像処理回路２０及びメモリ制御回路２２を介して、或いはＡ／Ｄ変換器及びメモリ制御回路２２を介して、メモリ３０に書き込む露光処理を実行する。さらに、メモリ制御回路２２及び必要に応じて画像処理回路２０を用いて、メモリ３０に書き込まれた画像データを読み出して撮影処理を実行する。この撮影処理（Ｓ１５０）の詳細は図５を用いて後述する。
【００４８】
Ｓ１５１では、システム制御回路５０は、メモリ３０から画像データを読み出して、これを画像表示部２８の表示形式に適合させて、メモリ制御回路２２を介して画像表示メモリ２４に転送し、画像表示部２８に表示する。この表示は、第１のクイックレビュー表示である。この第１のクイックレビュー表示は、ダク取り込み処理（Ｓ１５２）が行われる前、即ちダク補正演算を行う前の画像データに基づいて実行される。
【００４９】
Ｓ１５２では、システム制御回路５０は、シャッター１２を閉じた状態で撮像素子１４の暗電流等のノイズ成分を本撮影と同じ時間蓄積し、蓄積を終えたノイズ画像信号を読み出すダク取り込み処理を行い、Ｓ１５３へ進む。このダク取り込み処理で取り込んだダク画像データを用いて補正演算処理を行うことにより、撮像素子１４の発生する暗電流ノイズや撮像素子１４固有のキズによる画素欠損等の画質劣化を低減することができる。
【００５０】
次のＳ１５３では、システム制御回路５０は、メモリ３０に書き込まれた画像データの一部をメモリ制御回路２２を介して読み出して、現像処理を行うために必要なＷＢ（ホワイトバランス）積分演算処理、ＯＢ（オプティカルブラック）積分演算処理を行う。そして、その演算結果をシステム制御回路５０の内部メモリ或いはメモリ５２に記憶する。また、システム制御回路５０は、メモリ制御回路２２及び必要に応じて画像処理回路２０を用いて、メモリ３０の所定領域に書き込まれた撮影画像データを読み出す。そして、システム制御回路５０の内部メモリ或いはメモリ５２に記憶した演算結果を用いて、ＡＷＢ（オートホワイトバランス）処理、ガンマ変換処理、色変換処理を含む各種現像処理を行う。さらに、現像処理においては、ダク取り込み処理で取り込んだダク画像データを用いて減算処理を行うことにより、撮像素子１４の暗電流ノイズ等を打ち消すダク補正演算処理も併せて行う。
【００５１】
次のＳ１５４では、システム制御回路５０は、メモリ３０に書き込まれた画像データを読み出し、設定されたモードに応じた画像圧縮処理を圧縮・伸長回路３２により行い、その圧縮した画像データをメモリ３０の画像記憶バッファ領域の空き画像部分に書き込む。
【００５２】
その後のＳ１５５では、システム制御回路５０は、カード選択機能が「カードＡ」であるか否かを判別し、カード選択機能が「カードＡ」であればＳ１５６に進み、そうでなければＳ１５９へ進む。
【００５３】
Ｓ１５６では、システム制御回路５０は、メモリ３０の画像記憶バッファ領域に記憶した画像データを読み出して、インタフェース９０及びコネクタ９２を介して、記録媒体２００（カードＡ）に書き込みを行う。この書き込み処理で記録される画像ファイルの形態を図４に示す。図４に示すように、この画像ファイルの形態は、シャッター速度、絞り値、日付、などを含む撮影情報データ５０１と、サムネイル画像データ５０２と、本画像データ５０３から構成される。また、このＳ１５６において、システム制御回路５０は、記録した画像ファイルに対して消去プロテクトを設定しないための処理（ファイル属性を「読み書き」に設定）を行う。
【００５４】
Ｓ１５７では、システム制御回路５０は、バックアップ機能がオンであるか否かを判別し、バックアップ機能がオンであればＳ１５８に進み、そうでなければＳ１６２へ進む。Ｓ１５８において、システム制御回路５０は、メモリ３０の画像記憶バッファ領域に記憶した画像データを読み出して、インタフェース９４及びコネクタ９６を介して、記録媒体２０２（カードＢ）に書き込みを行う。この書き込み処理で記録される画像ファイルの形態は、図４で説明したものと同様である。また、このＳ１５８において、システム制御回路５０は、記録した画像ファイルに対して消去プロテクトを設定するための処理（ファイル属性を「読み取り専用」に設定）を行う。
【００５５】
Ｓ１５９では、システム制御回路５０は、メモリ３０の画像記憶バッファ領域に記憶した画像データを読み出して、インタフェース９４及びコネクタ９６を介して、記録媒体２０２（カードＢ）に図４の形態で書き込みを行う。また、このＳ１５９において、システム制御回路５０は、記録した画像ファイルに対して消去プロテクトを設定しないための処理（ファイル属性を「読み書き」に設定）を行う。
【００５６】
Ｓ１６０では、システム制御回路５０は、バックアップ機能がオンであるか否かを判別し、バックアップ機能がオンであればＳ１６１に進み、そうでなければＳ１６２へ進む。
【００５７】
Ｓ１６１において、システム制御回路５０は、メモリ３０の画像記憶バッファ領域に記憶した画像データを読み出して、記録媒体２００（カードＡ）に書き込みを行う。この書き込み処理で記録される画像ファイルの形態は、図４で説明したものと同様である。また、このＳ１６１において、システム制御回路５０は、記録した画像ファイルに対して消去プロテクトを設定するための処理（ファイル属性を「読み取り専用」に設定）を行う。
【００５８】
Ｓ１６２では、システム制御回路５０は、メモリ３０から画像データを読み出して、これを画像表示部２８の表示形式に適合させて、メモリ制御回路２２を介して画像表示メモリ２４に転送し、画像表示部２８に画像を表示する。この表示は、第２のクイックレビュー表示である。この第２のクイックレビュー表示処理（Ｓ１６２）の段階では、既にダク取り込み処理（Ｓ１５２）が行われた後であるため、現像処理（Ｓ１５３）においてダク補正演算を行った後の画像データを用いて表示用の画像データを作成し、クイックレビュー表示を行う。
【００５９】
次のＳ１６３では、システム制御回路５０は、シャッタースイッチＳＷ１がオフになるのを待つ。そして、シャッタースイッチＳＷ１がオフになったならばＳ１６４へ進む。
【００６０】
Ｓ１６４では、システム制御回路５０は、画像表示部２８の表示状態をスルー表示状態に設定して、一連の撮影動作を終えてＳ１０３に戻る。これにより、画像表示部２８でのクイックレビュー表示によって使用者が撮影画像を確認した後に、表示状態を、次の撮影のために撮像された画像を逐次表示するスルー表示状態に以降させることができる。
【００６１】
＜撮影処理の詳細＞
図５は、図３のＳ１５０における撮影処理の詳細を示すフローチャートである。
【００６２】
まず、Ｓ３０１で、システム制御回路５０は、撮像素子１４の電荷クリア動作を行い、次のＳ３０２で、撮像素子１４の電荷蓄積を開始する。そして、Ｓ３０３で、シャッター制御部４０によってシャッター１２を開き、さらにＳ３０４で、撮像素子１４の露光を開始する。
【００６３】
続くＳ３０５では、システム制御回路５０は、フラッシュ・フラグを参照してフラッシュ４８が必要であるか否かを判断し、必要である場合はフラッシュを発光させる。なお、フラッシュ４８を使用しない場合はＳ３０７へ進む。
【００６４】
Ｓ３０７において、システム制御回路５０は、測光データに従った撮像素子１４の露光終了を待ち、その後のＳ３０８では、シャッター制御部４０によってシャッター１２を閉じて、撮像素子１４の露光を終了する。
【００６５】
次のＳ３０９では、システム制御回路５０は、設定された電荷蓄積時間が経過するのを待ち、その後のＳ３１０において、システム制御回路５０は、撮像素子１４による電荷蓄積を終了させる。次いで、Ｓ３１１では、撮像素子１４から電荷信号を読み出し、Ａ／Ｄ変換器１６、画像処理回路２０、及びメモリ制御回路２２を介して、或いはＡ／Ｄ変換器１６及びメモリ制御回路２２を介して、撮影画像データとしてメモリ３０の所定領域に書き込む。一連の処理を終えたならば、撮影処理ルーチン（Ｓ１５０）を終了する。
【００６６】
＜メニュー処理の詳細＞
図６は、図２のＳ１０６におけるメニュー処理の詳細を示すフローチャートである。
【００６７】
図中のＳ６０１とＳ６０２は、メニュー処理において、メニュー項目を一覧表示して、変更すべき項目を選択するための項目選択状態を示している。具体的には、Ｓ６０１は、カード選択機能が選択されている状態を示しており、Ｓ６０２は、バックアップ機能が選択されている状態を示している。
【００６８】
Ｓ６０１では、システム制御回路５０は、メニュー釦７０、セット釦７６、及び移動プラス（＋）釦７２の状態を確認する。メニュー釦７０が押されると、メニュー処理を終了しリターンする。移動プラス（＋）釦７２が押されると、Ｓ６０２へ進む。セット釦７６が押されると、変更する項目をカード選択機能に確定し、カード選択機能の内容を変更するために、Ｓ６１０へ進む。
【００６９】
Ｓ６０２では、システム制御回路５０は、メニュー釦７０、セット釦７６、及び移動マイナス（−）釦７４の状態を確認する。メニュー釦７０が押されると、メニュー処理を終了しリターンする。移動マイナス（−）釦７４が押されると、Ｓ６０１へ進む。セット釦７６が押されると、変更する項目をバックアップ機能に確定し、バックアップ機能の内容を選択するために、Ｓ６２０へ進む。
【００７０】
Ｓ６１０は、カード選択機能の内容を変更する処理を行う。Ｓ６１０において、システム制御回路５０は、セット釦７６、移動プラス（＋）釦７２、及び移動マイナス（−）釦７４の状態を確認する。移動マイナス（−）釦７４が押されると、カード選択機能をカードＢに切り替える。移動プラス（＋）釦７２が押されると、カード選択機能をカードＡに切り替える。セット釦７６が押されると、カード選択機能の内容を確定し、Ｓ６０１に戻る。
【００７１】
Ｓ６２０は、バックアップ機能の内容を変更する処理を行う。Ｓ６２０では、システム制御回路５０は、セット釦７６、移動プラス（＋）釦７２、及び移動マイナス（−）釦７４の状態を確認する。移動マイナス（−）釦７４が押されると、バックアップ機能をオフに切り替える。移動プラス（＋）釦７２が押されると、バックアップ機能をオンに切り替える。セット釦７６が押されると、バックアップ機能の内容を確定し、Ｓ６０２に戻る。
【００７２】
＜本実施の形態の利点＞
本実施の形態によれば、メニュー画面で、カード選択機能及びバックアップ機能の変更操作が行われる。メニュー釦７０を押すと、メニュー処理が開始される（Ｓ１０６）。項目選択状態において（Ｓ６０１、Ｓ６０２）、カード選択機能を選択している時にセット釦７６を押すと、変更する項目をカード選択機能と確定し、カード選択機能の内容変更処理が開始される（Ｓ６０１からＳ６１０への遷移）。カード選択機能の内容変更処理においては、移動プラス（＋）釦７２、或いは移動マイナス（−）釦７４を押すことで、カードＡとカードＢとが切り替わり（Ｓ６１０）、セット釦７６を押すことで内容が確定する（Ｓ６１０からＳ６０１への遷移）。
【００７３】
また、項目選択状態において（Ｓ６０１、Ｓ６０２）、バックアップ機能を選択している時にセット釦７６を押すと、変更する項目をバックアップ機能と確定し、バックアップ機能の内容変更処理が開始される（Ｓ６０２からＳ６２０への遷移）。バックアップ機能の内容変更処理においては、移動プラス（＋）釦７２、或いは移動マイナス（−）釦７４を押すことで、オンとオフとが切り替わり（Ｓ６２０）、セット釦７６を押すことで内容が確定する（Ｓ６２０からＳ６０２への遷移）。
【００７４】
また、一連の撮影動作において、画像データをカードＡとカードＢに記録する際に、カード選択機能で選択されたカードに対して、画像データが記録される（Ｓ１５５、Ｓ１５６、Ｓ１５９）。この時、画像ファイルに消去プロテクトを設定しないための処理（ファイル属性を「読み書き」に設定）が行われる（Ｓ１５６、Ｓ１５９）。
【００７５】
また、バックアップ機能がオンの場合は、カード選択機能で選択されていない方のカードに対して、バックアップ用として撮影画像が記録される（Ｓ１５８、Ｓ１６１）。この時、画像ファイルに消去プロテクトを設定するための処理（ファイル属性を「読み出し専用」に設定）が行われる（Ｓ１５８、Ｓ１６１）。
【００７６】
このように、バックアップ用として撮影画像データを記録するカードに対しては、自動的に、画像ファイルに消去プロテクトを設定するための処理（ファイル属性を「読み出し専用」に設定）を行うように機能させている。これにより、画像ファイルの誤消去の危険性を低減することができる。
【００７７】
［第２の実施の形態］
上述したように第１の実施の形態では、バックアップ用として記録するカードに対しては、自動的に、画像ファイルに消去プロテクトを設定するための処理を行うように機能させている。これに対して、第２の実施の形態では、画像ファイルに対する消去プロテクト処理を、記録先に応じて選択できるようにしている。
【００７８】
その選択肢としては、
（１）消去プロテクト処理を行わない
（２）カード選択機能で指定されたカードのみ行う
（３）バックアップ用として記録するカードのみ行う
（４）両方（カード選択機能で指定されたカードとバックアップ用として記録するカードの両方）のカードに対して行う
がある。
【００７９】
＜第２の実施の形態に係る主ルーチンの動作＞
図７及び図８は、第２の実施の形態に係る画像処理装置１００の主ルーチンの動作を示すフローチャートであり、図２及び図３と共通の要素には同一の符号を付し、その説明を省略する。
【００８０】
まずシステム制御回路５０は、Ｓ１０１において前述したような初期化を行った後、Ｓ７０２へ進む。システム制御回路５０は、Ｓ７０２において更に、メニュー画面で指定される設定内容の初期化を行う。即ち、カード選択機能をカードＡにし、バックアップ機能をオンにする。加えて、撮影した画像データを記録する際の撮影画像に対する消去保護機能を、両方のカード（カード選択機能で指定したカードと、バックアップ用として記録するカードの両方）に設定する。
【００８１】
その後のＳ１０３〜Ｓ１１５（図２）及びＳ１５０〜１５４は、図２及び図３で説明したと同様の処理を行う。そして、続くＳ７５５では、システム制御回路５０は、カード選択機能が「カードＡ」であるか否かを判別し、カード選択機能が「カードＡ」であればＳ７５６に進み、そうでなければＳ７６３へ進む。
【００８２】
Ｓ７５６では、システム制御回路５０は、消去保護機能の設定内容を確認し、カード選択機能で指定されたカード、又は両方のカードである場合は、Ｓ７５７に進み、そうでない場合は、Ｓ７５８へ進む。
【００８３】
Ｓ７５７において、システム制御回路５０は、メモリ３０の画像記憶バッファ領域に記憶した画像データを読み出して、記録媒体２００（カードＡ）に図４の形態で書き込む。また、このＳ７５７において、システム制御回路５０は、記録した画像ファイルに対して消去プロテクトを設定するための処理（ファイル属性を「読み取り専用」に設定）を行う。
【００８４】
Ｓ７５８では、システム制御回路５０は、メモリ３０の画像記憶バッファ領域に記憶した画像データを読み出し、記録媒体２００（カードＡ）に図４の形態で書き込みを行う。また、このＳ７５８において、システム制御回路５０は、記録した画像ファイルに対して消去プロテクトを設定しないための処理（ファイル属性を「読み書き」に設定）を行う。
【００８５】
次のＳ７５９では、システム制御回路５０は、バックアップ機能がオンであるか否かを判別し、バックアップ機能がオンであればＳ７６０に進み、そうでなければＳ７７０へ進む。
【００８６】
Ｓ７６０では、システム制御回路５０は、消去保護機能の設定内容を確認し、バックアップ側のカード、又は両方のカード（カード選択機能で指定されたカード、バックアップ用のカードの両方）である場合は、Ｓ７６１に進み、そうでない場合は、Ｓ７６２へ進む。
【００８７】
Ｓ７６１では、システム制御回路５０は、メモリ３０の画像記憶バッファ領域に記憶した画像データを読み出して、記録媒体２０２（カードＢ）に図４の形態で書き込みを行う。また、記録した画像ファイルに対して消去プロテクトを設定するための処理（ファイル属性を「読み取り専用」に設定）を行う。
【００８８】
Ｓ７６２において、システム制御回路５０は、メモリ３０の画像記憶バッファ領域に記憶した画像データを読み出して、記録媒体２０２（カードＢ）に図４の形態で書き込みを行う。また、記録した画像ファイルに対して消去プロテクトを設定しないための処理（ファイル属性を「読み書き」に設定）を行う。
【００８９】
Ｓ７６３では、システム制御回路５０は、消去保護機能の設定内容を確認し、カード選択機能で指定されたカード、又は両方のカードである場合は、Ｓ７６４に進み、そうでない場合は、Ｓ７６５へ進む。
【００９０】
Ｓ７６４では、システム制御回路５０は、メモリ３０の画像記憶バッファ領域に記憶した画像データを読み出して、記録媒体２０２（カードＢ）に図４の形態で書き込みを行う。また、このＳ７６４において、システム制御回路５０は、記録した画像ファイルに対して消去プロテクトを設定するための処理（ファイル属性を「読み取り専用」に設定）を行う。
【００９１】
Ｓ７６５では、システム制御回路５０は、メモリ３０の画像記憶バッファ領域に記憶した画像データを読み出して、記録媒体２０２（カードＢ）に図４の形態で書き込みを行う。また、このＳ７６５において、システム制御回路５０は、記録した画像ファイルに対して消去プロテクトを設定しないための処理（ファイル属性を「読み書き」に設定）を行う。
【００９２】
Ｓ７６６では、システム制御回路５０は、バックアップ機能がオンであるか否かを判別し、バックアップ機能がオンであればＳ７６７に進み、そうでなければＳ７７０へ進む。
【００９３】
Ｓ７６７では、システム制御回路５０は、消去保護機能の設定内容を確認し、バックアップ側のカード、又は両方のカード（カード選択機能で指定されたカード、バックアップ用のカードの両方）である場合は、Ｓ７６８に進み、そうでない場合は、Ｓ７６９へ進む。
【００９４】
Ｓ７６８では、システム制御回路５０は、メモリ３０の画像記憶バッファ領域に記憶した画像データを読み出して、記録媒体２００（カードＡ）に図４の形態で書き込みを行う。また、このＳ７６８において、システム制御回路５０は、記録した画像ファイルに対して消去プロテクトを設定するための処理（ファイル属性を「読み取り専用」に設定）を行う。
【００９５】
Ｓ７６９では、システム制御回路５０は、メモリ３０の画像記憶バッファ領域に記憶した画像データを読み出して、記録媒体２００（カードＡ）に図４の形態で書き込みを行う。また、このＳ７６９において、システム制御回路５０は、記録した画像ファイルに対して消去プロテクトを設定しないための処理（ファイル属性を「読み書き」に設定）を行う。
【００９６】
＜メニュー処理の詳細＞
図９は、図７のＳ７０６におけるメニュー処理の詳細を示すフローチャートである。
【００９７】
Ｓ８０１〜Ｓ８０３は、メニュー処理において、メニュー項目を一覧表示して、変更すべき項目を選択するための項目選択状態を示している。具体的にはＳ８０１は、カード選択機能が選択されている状態を示し、Ｓ８０２は、バックアップ機能が選択されている状態を示している。また、Ｓ８０３は、消去保護機能が選択されている状態を示している。
【００９８】
まずＳ８０１では、システム制御回路５０は、メニュー釦７０、セット釦７６、及び移動プラス（＋）釦７２の状態を確認する。メニュー釦７０が押されると、メニュー処理を終了しリターンする。移動プラス（＋）釦７２が押されると、Ｓ８０２へ進む。セット釦７６が押されると、変更する項目をカード選択機能に確定し、カード選択機能の内容を変更するために、Ｓ８１０へ進む。
【００９９】
Ｓ８０２では、システム制御回路５０は、メニュー釦７０、セット釦７６、移動プラス（＋）釦７２、及び移動マイナス（−）釦７４の状態を確認する。メニュー釦７０が押されると、メニュー処理を終了しリターンする。移動プラス（＋）釦７２が押されると、Ｓ８０３へ進み、移動マイナス（−）釦７４が押されると、Ｓ８０１へ進む。セット釦７６が押されると、変更する項目をバックアップ機能に確定し、バックアップ機能の内容を選択するために、Ｓ８２０へ進む。
【０１００】
Ｓ８０３では、システム制御回路５０は、メニュー釦７０、セット釦７６、及び移動マイナス（−）釦７４の状態を確認する。メニュー釦７０が押されると、メニュー処理を終了しリターンする。移動マイナス（−）釦７４が押されると、Ｓ８０２へ進み、セット釦７６が押されると、変更する項目を消去保護機能に確定し、消去保護機能の内容を選択するために、Ｓ８３０へ進む。
【０１０１】
Ｓ８１０は、カード選択機能の内容を変更する処理を行う。Ｓ８１０では、システム制御回路５０は、セット釦７６、移動プラス（＋）釦７２、及び移動マイナス（−）釦７４の状態を確認する。移動マイナス（−）釦７４が押されると、カード選択機能をカードＢに切り替え、移動プラス（＋）釦７２が押されると、カード選択機能をカードＡに切り替える。セット釦７６が押されると、カード選択機能の内容を確定し、Ｓ８０１に戻る。
【０１０２】
Ｓ８２０は、バックアップ機能の内容を変更する処理を行う。Ｓ８２０では、システム制御回路５０は、セット釦７６、移動プラス（＋）釦７２、及び移動マイナス（−）釦７４の状態を確認する。移動マイナス（−）釦７４が押されると、バックアップ機能をオフに切り替え、移動プラス（＋）釦７２が押されると、バックアップ機能をオンに切り替える。セット釦７６が押されると、バックアップ機能の内容を確定し、Ｓ８０２に戻る。
【０１０３】
Ｓ８３０は、消去保護機能の内容を変更する処理を行う。Ｓ８３０では、システム制御回路５０は、セット釦７６、移動プラス（＋）釦７２、及び移動マイナス（−）釦７４の状態を確認する。移動マイナス（−）釦７４が押される度に、「両方のカード（カード選択機能で指定したカードと、バックアップ用として記録するカードの両方）」→「バックアップ側のカードのみ」→「カード選択機能で指定されたカードのみ」→「オフ」のような順序で切り替える。
【０１０４】
また、移動プラス（＋）釦７２が押される度に、「オフ」→「カード選択機能で指定されたカードのみ」→「バックアップ側のカードのみ」→「両方のカード」のような順序で切り替える。セット釦７６が押されると、消去保護機能の内容を確定し、Ｓ８０３に戻る。
【０１０５】
＜本実施の形態の利点＞
第２の実施の形態によれば、メニュー画面において、カード選択機能、バックアップ機能、及び消去保護機能の変更操作が行われる。メニュー釦７０を押すと、メニュー処理が開始される（図７のＳ１０６）。
【０１０６】
項目選択状態において（Ｓ８０１〜Ｓ８０３）、カード選択機能を選択している時にセット釦７６を押すと、変更する項目をカード選択機能と確定し、カード選択機能の内容変更処理が開始される（Ｓ８０１からＳ８１０への遷移）。カード選択機能の内容変更処理においては、移動プラス（＋）釦７２或いは移動マイナス（−）釦７４を押すことで、カードＡとカードＢとが切り替わり（Ｓ８１０）、セット釦７６を押すことで内容が確定する（Ｓ８１０からＳ８０１への遷移）。
【０１０７】
また、項目選択状態において（Ｓ８０１〜Ｓ８０３）、バックアップ機能を選択している時にセット釦７６を押すと、変更する項目をバックアップ機能と確定し、バックアップ機能の内容変更処理が開始される（Ｓ８０２からＳ８２０への遷移）。バックアップ機能の内容変更処理においては、移動プラス（＋）釦７２、或いは、移動マイナス（−）釦７４を押すことでオンとオフとが切り替わり（Ｓ８２０）、セット釦７６を押すことで内容が確定する（Ｓ８２０からＳ８０２への遷移）。
【０１０８】
また、項目選択状態において（Ｓ８０１〜Ｓ８０３）、消去保護機能を選択している時にセット釦７６を押すと、変更する項目を消去保護機能と確定し、消去保護機能の内容変更処理が開始される（Ｓ８０３からＳ８３０への遷移）。消去保護機能の内容変更処理においては、移動プラス（＋）釦７２と移動マイナス（−）釦７４の操作に応じて、「両方のカード」、「バックアップ側のカードのみ」、「カード選択機能で指定されたカードのみ」、「オフ」の切り替えができる（Ｓ８３０）。
【０１０９】
また、一連の撮影動作における撮影画像の記録は以下の様に行われる。
【０１１０】
カード選択機能が「カードＡ」の場合、選択カードとしての記録先はカードＡとなる（Ｓ７５７〜Ｓ７５８）。この時、「カードＡ」に対する「消去保護機能」が有効である場合は、画像ファイルに消去プロテクトを設定するための処理（ファイル属性を「読み取り専用」に設定）が行われる（Ｓ７５７）。「カードＡ」に対する「消去保護機能」が無効である場合は、画像ファイルに消去プロテクトを設定しないための処理（ファイル属性を「読み書き」に設定）が行われる（Ｓ７５８）。
【０１１１】
カード選択機能が「カードＢ」の場合、選択カードとしての記録先はカードＢとなる（Ｓ７６４〜Ｓ７６５）。この時、「カードＢ」に対する「消去保護機能」が有効である場合は、画像ファイルに消去プロテクトを設定するための処理（ファイル属性を「読み取り専用」に設定）が行われる（Ｓ７６４）。「カードＢ」に対する「消去保護機能」が無効である場合は、画像ファイルに消去プロテクトを設定しないための処理（ファイル属性を「読み書き」に設定）が行われる（Ｓ７６５）。
【０１１２】
また、一連の撮影動作において、バックアップ機能がオンであると、バックアップ記録が以下の様に行われる。
【０１１３】
カード選択機能が「カードＡ」の場合、バックアップとしての記録先はカードＢとなる（Ｓ７６１〜Ｓ７６２）。この時、「カードＢ」に対する「消去保護機能」が有効である場合は、画像ファイルに消去プロテクトを設定するための処理（ファイル属性を「読み取り専用」に設定）が行われる（Ｓ７６１）。「カードＢ」に対する「消去保護機能」が無効である場合は、画像ファイルに消去プロテクトを設定しないための処理（ファイル属性を「読み書き」に設定）が行われる（Ｓ７６２）。
【０１１４】
カード選択機能が「カードＢ」の場合、バックアップとしての記録先はカードＡとなる（Ｓ７６８〜Ｓ７６９）。この時、「カードＡ」に対する「消去保護機能」が有効である場合は、画像ファイルに消去プロテクトを設定するための処理（ファイル属性を「読み取り専用」に設定）が行われる（Ｓ７６８）。「カードＡ」に対する「消去保護機能」が無効である場合は、画像ファイルに消去プロテクトを設定しないための処理（ファイル属性を「読み書き」に設定）が行われる（Ｓ７６９）。
【０１１５】
このように、本実施の形態によれば、選択カードへの記録とバックアップ記録に対する消去プロテクト機能のオン／オフを指定することができるので、必要に応じて、消去プロテクトを設定することができ、操作の利便性を向上させることができる。
【０１１６】
なお、本発明の目的は、実施形態の機能を実現するプログラムコードを記録した記憶媒体をシステム或いは装置に供給し、そのシステム或いは装置のコンピュータが前記プログラムコードを読み出して実行することによっても達成される。
【０１１７】
この場合、記憶媒体から読み出されたプログラムコード自体が前述した実施の形態の機能を実現することになり、そのプログラムコード及び該プログラムコードを記憶した記憶媒体は本発明を構成することになる。
【０１１８】
また、プログラムコードを供給するための記憶媒体としては、例えば、フロッピー（登録商標）ディスク、ハードディスク、光磁気ディスク、ＣＤーＲＯＭ、ＣＤーＲ、ＣＤーＲＷを用いることができる。また、ＤＶＤーＲＯＭ、ＤＶＤーＲＡＭ、ＤＶＤーＲＷ、ＤＶＤプラスＲＷ、磁気テープ、不揮発性のメモリカード、ＲＯＭ等も用いることができる。又は、プログラムコードをネットワークを介してダウンロードしても良い。
【０１１９】
また、本発明は、コンピュータが読み出したプログラムコードを実行することにより、上記実施の形態の機能が実現されるだけでなく、次のような場合も含まれる。即ち、そのプログラムコードの指示に基づき、コンピュータ上で稼動しているＯＳ（オペレーティングシステム）等が実際の処理の一部又は全部を行い、その処理によって前述した実施形態の機能が実現される場合も含まれる。
【０１２０】
更に、記憶媒体から読み出されたプログラムコードが、機能拡張ユニットに書き込まれた後、そのプログラムコードの指示に基づき、その機能拡張ユニットのＣＰＵ等が実際の処理を行い、その処理によって前述の実施形態の機能が実現される場合も含まれる。
【０１２１】
この場合、上記プログラムは、該プログラムを記憶した記憶媒体から直接、又はインターネット、商用ネットワーク、若しくはローカルエリアネットワーク等に接続された不図示の他のコンピュータやデータベース等からダウンロードすることにより供給される。
【図面の簡単な説明】
【０１２２】
【図１】第１の実施の形態に係る画像処理装置の構成を示すブロック図である。
【図２】第１の実施の形態に係る画像処理装置の主ルーチンの動作を示すフローチャートである。
【図３】図２の続きのフローチャートである。
【図４】書き込み処理で記録される画像ファイルの形態を示す図である。
【図５】撮影処理の詳細を示すフローチャートである。
【図６】第１の実施の形態に係るメニュー処理の詳細を示すフローチャートである。
【図７】第２の実施の形態に係る画像処理装置の主ルーチンの動作を示すフローチャートである。
【図８】図７の続きのフローチャートである。
【図９】第２の実施の形態に係るメニュー処理の詳細を示すフローチャートである。
【符号の説明】
【０１２３】
１０  撮影レンズ
１４  撮像素子
２０  画像処理回路
２２  メモリ制御回路
２４  画像表示メモリ
２８  画像表示部
３０  メモリ
５０  システム制御回路
５２  メモリ
５４  表示部
７２  移動プラス（＋）釦
７４  移動マイナス（−）釦
７６  セット釦
７８  消去釦
１００  画像処理装置
２００  記録媒体
２０２  記録媒体
【図１】
2007215020.tif 000003
【図２】
2007215020.tif 000004
【図３】
2007215020.tif 000005
【図４】
2007215020.tif 000006
【図５】
2007215020.tif 000007
【図６】
2007215020.tif 000008
【図７】
2007215020.tif 000009
【図８】
2007215020.tif 000010
【図９】
2007215020.tif 000011